(57)【要約】      （修正有）【課題】デジタル・オーディオ・プレーヤ上でＲＳＳコンテンツを管理のための方法、システム、およびコンピュータ・プログラムを提供する。【解決手段】実施形態は、ＲＳＳフィードを通じてＲＳＳコンテンツを取り出すステップと、メディア・ファイルを作成するステップと、ＲＳＳコンテンツからテキストを抽出して、メディア・ファイルに関連したメタデータとして記憶するステップと、ＲＳＳコンテンツから１つ以上の画像を抽出して、メディア・ファイルに関連したメタデータとして記憶するステップと、抽出したテキストをスピーチに変換するステップと、メディア・ファイルの音声部分にスピーチを記録するステップとを含む。また、数多くの実施形態は、メディア・ファイルをデジタル・オーディオ・プレーヤに記憶するステップと、メディア・ファイルを記述するメタデータを表示するステップと、スピーチを含む音声部分を再生するステップとを含む。【選択図】図１
2007293277.tif 000002
【特許請求の範囲】
【請求項１】
デジタル・オーディオ・プレーヤ上でＲＳＳコンテンツをレンダリングするためのＲＳＳコンテンツ管理のための方法であって、
ＲＳＳフィードを通じてＲＳＳコンテンツを取り出すステップと、
前記ＲＳＳコンテンツからテキストを抽出するステップと、
メディア・ファイルを作成するステップと、
前記ＲＳＳコンテンツの前記抽出されたテキストを前記メディア・ファイルに関連したメタデータとして記憶するステップと
を含む、方法。
【請求項２】
前記ＲＳＳコンテンツから１つ以上の画像を抽出するステップと、
前記抽出された画像を前記メディア・ファイルに関連したメタデータとして記憶するステップと
をさらに含む、請求項１に記載の方法。
【請求項３】
メディア・ファイルを作成する前記ステップは、ＭＰＥＧファイルを作成するステップをさらに含み、
前記ＲＳＳコンテンツの前記抽出されたテキストを前記メディア・ファイルを記述するメタデータとして記憶する前記ステップは、前記抽出されたテキストを前記ＭＰＥＧファイルに挿入するステップをさらに含む、請求項１に記載の方法。
【請求項４】
前記抽出されたテキストを前記ＭＰＥＧファイルに挿入する前記ステップは、前記抽出されたテキストを前記ＭＰＥＧファイル内のＩＤ３タグに挿入するステップをさらに含む、請求項３に記載の方法。
【請求項５】
前記ＲＳＳコンテンツの前記抽出されたテキストを前記メディア・ファイルを記述するメタデータとして記憶する前記ステップは、前記抽出されたテキストを前記メディア・ファイルに関連したメタデータ・ファイルに記憶するステップをさらに含む、請求項１に記載の方法。
【請求項６】
前記メタデータ・ファイルは、拡張可能なマーク付け言語（「ＸＭＬ」）ファイルである、請求項５に記載の方法。
【請求項７】
前記メディア・ファイルをデジタル・オーディオ・プレーヤに記憶するステップと、
前記メディア・ファイルを記述する、前記ＲＳＳコンテンツの前記抽出されたテキストを含む前記メタデータを表示するステップと
をさらに含む、請求項１に記載の方法。
【請求項８】
前記ＲＳＳコンテンツからテキストを抽出して、前記デジタル・オーディオ・プレーヤ上での音声レンダリングに供するステップと、
前記テキストをスピーチに変換するステップと、
前記メディア・ファイルの音声部分に前記スピーチを記録するステップと
をさらに含む、請求項１に記載の方法。
【請求項９】
前記メディア・ファイルをデジタル・オーディオ・プレーヤに記憶するステップと、
前記メディア・ファイルを記述する前記メタデータを表示するステップと、
前記スピーチを含む前記音声部分を再生するステップと
をさらに含む、請求項８に記載の方法。
【請求項１０】
デジタル・オーディオ・プレーヤ上でＲＳＳコンテンツをレンダリングするためのＲＳＳコンテンツ管理のためのシステムであって、
コンピュータ・プロセッサと、
前記コンピュータ・プロセッサに動作可能に結合されたコンピュータ・メモリとを備え、前記コンピュータ・メモリの内部には、
ＲＳＳフィードを通じてＲＳＳコンテンツを取り出すことと、
前記ＲＳＳコンテンツからテキストを抽出することと、
メディア・ファイルを作成することと、
前記ＲＳＳコンテンツの前記抽出されたテキストを前記メディア・ファイルに関連したメタデータとして記憶することと
が可能なコンピュータ・プログラム命令が配置されている、システム。
【請求項１１】
前記コンピュータ・メモリの内部には、
前記ＲＳＳコンテンツから１つ以上の画像を抽出することと、
前記抽出された画像を前記メディア・ファイルに関連したメタデータとして記憶することと
が可能なコンピュータ・プログラム命令も配置されている、請求項１０に記載のシステム。
【請求項１２】
前記コンピュータ・メモリの内部には、
ＭＰＥＧファイルを作成することと、
前記抽出されたテキストを前記ＭＰＥＧファイルに挿入することと
が可能なコンピュータ・プログラム命令も配置されている、請求項１０に記載のシステム。
【請求項１３】
前記コンピュータ・メモリの内部には、前記抽出されたテキストを前記メディア・ファイルに関連したメタデータ・ファイルに記憶することが可能なコンピュータ・プログラム命令も配置されている、請求項１０に記載のシステム。
【請求項１４】
前記コンピュータ・メモリの内部には、
前記ＲＳＳコンテンツからテキストを抽出して、前記デジタル・オーディオ・プレーヤ上での音声レンダリングに供することと、
前記テキストをスピーチに変換することと、
前記メディア・ファイルの音声部分に前記スピーチを記録することと
が可能なコンピュータ・プログラム命令も配置されている、請求項１０に記載のシステム。
【請求項１５】
デジタル・オーディオ・プレーヤ上でＲＳＳコンテンツをレンダリングするためのＲＳＳコンテンツ管理のためのプログラムであって、該プログラムがコンピュータに、
ＲＳＳフィードを通じてＲＳＳコンテンツを取り出す機能と、
前記ＲＳＳコンテンツからテキストを抽出する機能と、
メディア・ファイルを作成する機能と、
前記ＲＳＳコンテンツの前記抽出されたテキストを前記メディア・ファイルに関連したメタデータとして記憶する機能と
を実現させるプログラム。
【請求項１６】
前記ＲＳＳコンテンツから１つ以上の画像を抽出する機能と、
前記抽出された画像を前記メディア・ファイルに関連したメタデータとして記憶する機能と
をさらに含む、請求項１５に記載のプログラム。
【請求項１７】
メディア・ファイルを作成する機能は、ＭＰＥＧファイルを作成する機能をさらに含み、
前記ＲＳＳコンテンツの前記抽出されたテキストを前記メディア・ファイルを記述するメタデータとして記憶する機能は、前記抽出されたテキストを前記ＭＰＥＧファイルに挿入する機能をさらに含む、請求項１５に記載のプログラム。
【請求項１８】
前記ＲＳＳコンテンツの前記抽出されたテキストを前記メディア・ファイルを記述するメタデータとして記憶する機能は、前記抽出されたテキストを前記メディア・ファイルに関連したメタデータ・ファイルに記憶する機能をさらに含む、請求項１５に記載のプログラム。
【請求項１９】
前記ＲＳＳコンテンツからテキストを抽出して、前記デジタル・オーディオ・プレーヤ上での音声レンダリングに供する機能と、
前記テキストをスピーチに変換する機能と、
前記メディア・ファイルの音声部分に前記スピーチを記録する機能と
をさらに含む、請求項１５に記載のプログラム。
【請求項２０】
請求項１５に記載のプログラムを記録したコンピュータ読み出し可能な媒体。
【発明の詳細な説明】
【技術分野】
【０００１】
本発明の分野は、データ処理であり、または、より特定的には、デジタル・オーディオ・プレーヤ上でＲＳＳコンテンツをレンダリングするためのＲＳＳコンテンツ管理のための方法、システム、およびプログラムである。
【背景技術】
【０００２】
多くの従来のデジタル・オーディオ・プレーヤは、デジタル・オーディオ・プレーヤによってサポートされるメディア・ファイルに関連したメタデータを表示するための表示画面を含む。このようなデジタル・オーディオ・プレーヤは、軽量かつ携帯可能なことが多く、デジタル・オーディオ・プレーヤをユーザにとって使いやすいものとなっている。
【発明の開示】
【発明が解決しようとする課題】
【０００３】
デジタル・オーディオ・プレーヤが軽量かつ携帯可能で表示画面を含むにもかかわらず、そのようなデジタル・オーディオ・プレーヤは、従来のＲＳＳ（「Ｒｅａｌｌｙ  Ｓｉｍｐｌｅ  Ｓｙｎｄｉｃａｔｉｏｎ」）コンテンツを提供することをサポートしていない。なぜならば、デジタル・オーディオ・プレーヤは、メディア・ファイルを再生することしかサポートしていないからである。したがって、デジタル・オーディオ・プレーヤ上でＲＳＳコンテンツをレンダリングするためのＲＳＳコンテンツ管理の必要性が常に存在する。
【課題を解決するための手段】
【０００４】
デジタル・オーディオ・プレーヤ上でＲＳＳコンテンツをレンダリングするためのＲＳＳコンテンツ管理のための方法、システム、およびコンピュータ・プログラムを提供する。実施形態は、ＲＳＳフィードを通じてＲＳＳコンテンツを取り出すステップと、ＲＳＳコンテンツからテキストを抽出するステップと、メディア・ファイルを作成するステップと、ＲＳＳコンテンツの抽出されたテキストをメディア・ファイルに関連したメタデータとして記憶するステップとを含む。また、実施形態は、典型的には、ＲＳＳコンテンツから１つ以上の画像を抽出するステップと、抽出された画像をメディア・ファイルに関連したメタデータとして記憶するステップとを含む。また、実施形態は、典型的には、ＲＳＳコンテンツからテキストを抽出して、デジタル・オーディオ・プレーヤ上での音声レンダリングに供するステップと、テキストをスピーチに変換するステップと、メディア・ファイルの音声部分にスピーチを記録するステップとを含む。また、数多くの実施形態は、メディア・ファイルをデジタル・オーディオ・プレーヤに記憶するステップと、メディア・ファイルを記述するメタデータを表示するステップと、スピーチを含む音声部分を再生するステップとを含む。
【０００５】
メディア・ファイルを作成するステップは、ＭＰＥＧファイルを作成することによって行われてもよく、ＲＳＳコンテンツの抽出されたテキストをメディア・ファイルを記述するメタデータとして記憶するステップは、抽出されたテキストをＭＰＥＧファイルに挿入することによって行われてもよい。抽出されたテキストをＭＰＥＧファイルに挿入するステップは、抽出されたテキストをＭＰＥＧファイル内のＩＤ３タグに挿入することによって行われてもよい。
【０００６】
ＲＳＳコンテンツの抽出されたテキストをメディア・ファイルを記述するメタデータとして記憶するステップは、抽出されたテキストをメディア・ファイルに関連したメタデータ・ファイルに記憶することによって行われてもよい。メタデータ・ファイルは、拡張可能なマーク付け言語（「ＸＭＬ」）ファイルであってもよい。
【発明を実施するための最良の形態】
【０００７】
本発明の上記および他の目的、特徴、ならびに利点は、添付の図面において示すような本発明の実施形態例の以下のより特定的な説明から明らかになるだろう。図面において、同様の参照符号は、一般的に、本発明の実施形態例の同様の部分を表す。
【０００８】
本発明の実施形態に係るデジタル・オーディオ・プレーヤ上でＲＳＳコンテンツをレンダリングするためのＲＳＳコンテンツ管理のための方法、システム、およびプログラムの例を、図１から始まる添付の図面を参照して説明する。図１は、本発明の実施形態に係るデジタル・オーディオ・プレーヤ上でＲＳＳコンテンツをレンダリングするためのＲＳＳコンテンツ管理のためのシステム例を示すネットワーク図を示す。図１のシステムは、デジタル・オーディオ・プレーヤの表示画面上でＲＳＳコンテンツをレンダリングするためにＲＳＳコンテンツを管理することができる。また、図１のシステムは、デジタル・オーディオ・プレーヤの表示画面上でのＲＳＳコンテンツの部分と、音声としてのＲＳＳコンテンツの部分とをレンダリングするためにＲＳＳコンテンツを管理することができる。
【０００９】
図１のシステムは、パーソナル・コンピュータ（１０６）とデータ通信を行うために広域通信網（１０２）（「ＷＡＮ」）を通じて結合されたデータ通信のためのＲＳＳコンテンツ・サーバ（１０４）を含む。ＲＳＳ（「Ｒｅａｌｌｙ  Ｓｉｍｐｌｅ  Ｓｙｎｄｉｃａｔｉｏｎ」）は、ニュース・ウェブサイト、ウェブログ、および他のコンテンツ・プロバイダによって使用されるウェブ・シンジケーションのためのＸＭＬファイル・フォーマットの一系統をいう概略的な用語である。Ｒｉｃｈ  Ｓｉｔｅ  Ｓｕｍｍａｒｙ（ＲＳＳ０．９１）、ＲＤＦ  Ｓｉｔｅ  Ｓｕｍｍａｒｙ（ＲＳＳ０．９，１．０，および１．１）、およびＲｅａｌｌｙ  Ｓｉｍｐｌｅ  Ｓｙｎｄｉｃａｔｉｏｎ（ＲＳＳ２．０）などの規格例を言及するために、省略形が使用されることが多い。
【００１０】
図１の例において、ＲＳＳコンテンツ・サーバ（１０４）は、パーソナル・コンピュータ（１０６）上にインストールされたＲＳＳアグリゲータへ配信されたＲＳＳフィードを通じたコンテンツに対するアクセスを提供する。ＲＳＳフィードは、典型的には、ＲＳＳコンテンツ・サーバ（１０４）上で利用可能なコンテンツを記載するサマリおよび他のメタデータと、ＲＳＳコンテンツ・サーバ（１０４）上の全コンテンツへのリンクとを含むＸＭＬファイルである。そして、ユーザは、ＲＳＳフィードを閲覧して、パーソナル・コンピュータにインストールされたブラウザを通じてＲＳＳフィードを通じて配信されたコンテンツにアクセスしてもよい。
【００１１】
また、図１のパーソナル・コンピュータ（１０６）は、デジタル・オーディオ・プレーヤ上でＲＳＳコンテンツをレンダリングするために、ＲＳＳコンテンツを管理するように一般的に動作するＲＳＳコンテンツ管理モジュールをサポートすることができ、これは、ＲＳＳフィードからＲＳＳコンテンツを取り出すことと、ＲＳＳコンテンツからテキストを抽出することと、ＲＳＳコンテンツから１つ以上の画像を抽出することと、メディア・ファイルを作成することと、ＲＳＳコンテンツの抽出されたテキストをメディア・ファイルに関連したメタデータとして記憶することと、抽出された画像をメディア・ファイルに関連したメタデータとして記憶することと、ＲＳＳコンテンツの抽出されたテキストを含むメタデータを表示するために、デジタル・オーディオ・プレーヤ上にメディア・ファイルを記憶することによって行うことができる。また、ＲＳＳ管理モジュールは、一般的に、ＲＳＳコンテンツからテキストを抽出して、デジタル・オーディオ・プレーヤ上での音声レンダリングに供することと、テキストをスピーチに変換することと、メディア・ファイルの音声部分にスピーチを記録することと、メディア・ファイルをデジタル・オーディオ・プレーヤに記憶して、メディア・ファイルを記述するメタデータを表示し、かつスピーチを含む音声部分を再生することが可能である。
【００１２】
また、図１のシステムは、デジタル・オーディオ・プレーヤ（１０８）を含む。図１のデジタル・オーディオ・プレーヤは、例えば、ＭＰＥＧファイル、ＡＡＣ圧縮ｍｐ４ファイル、および当業者が想起するようなファイルなどのメディア・ファイルを再生することができる。また、図１のデジタル・オーディオ・プレーヤは、デジタル・オーディオ・プレーヤによってサポートされるファイル型のメディア・ファイルに関連したメタデータとして記憶された情報を表示することができる表示画面（１１０）を含む。また、デジタル・オーディオ・プレーヤは、デジタル・オーディオ・プレーヤによってサポートされるメディア・ファイルの音声部分の音声提示のためのヘッドホン（１１２）を含む。
【００１３】
図１に示すシステム例を構築するサーバおよび他の装置の仕組みは、説明のためだけのものであり、限定するためのものではない。本発明の様々な実施形態に係る有用なデータ処理システムは、図１には示されていないが、当業者が想起するようなさらなるサーバ、ルータ、他の装置、およびピア・ツー・ピア・アーキテクチャを含んでもよい。そのようなデータ処理システムにおけるネットワークは、ＴＣＰ（伝送制御プロトコル）、ＩＰ（インターネット・プロトコル）、ＨＴＴＰ（ハイパーテキスト伝送プロトコル）、ＷＡＰ（無線アプリケーション・プロトコル）、ＨＤＴＰ（ハンドヘルド装置伝送プロトコル）、および当業者が想起するような他のプロトコルを含む、数多くのデータ通信プロトコルをサポートしてもよい。本発明の様々な実施形態が、図１に示すものに加えて、様々なハードウェア・プラットフォーム上で実施されてもよい。
【００１４】
本発明に係るデジタル・オーディオ・プレーヤ上でＲＳＳコンテンツをレンダリングするためのＲＳＳコンテンツ管理は、一般的に、コンピュータで、すなわち自動コンピューティング機構で実施される。図１のシステムにおいて、例えば、すべてのノード、サーバ、および通信装置は、少なくともコンピュータとしてある程度実施される。したがって、さらに説明するために、図２は、本発明の実施形態に係るデジタル・オーディオ・プレーヤ上でＲＳＳコンテンツをレンダリングするためのＲＳＳコンテンツ管理において有用なコンピュータ例（１５２）を備える自動コンピューティング機構のブロック図を示す。図２のコンピュータ（１５２）は、少なくとも１つのコンピュータ・プロセッサ（１５６）または「ＣＰＵ」と、システム・バス（１６０）を通じてプロセッサ（１５６）およびコンピュータの他の構成要素に接続されているランダム・アクセス・メモリ（１６８）（「ＲＡＭ」）とを含む。
【００１５】
ＲＡＭ（１６８）に記憶されているのは、オペレーティング・システム（１５４）である。本発明の実施形態に係るコンピュータにおいて有用なオペレーティング・システムには、ＵＮＩＸ（登録商標）、Ｌｉｎｕｘ（商標）、ＭｉｃｒｏｓｏｆｔＸＰ（商標）、ＡＩＸ（商標）、ＩＢＭ社のｉ５／ＯＳ（商標）、および当業者が想起するような他のものが含まれる。
【００１６】
ブラウザ（２３０）も、ＲＡＭ（１６８）に記憶されている。図２のブラウザ（２３０）は、ＲＳＳフィードを通じて利用可能なＲＳＳコンテンツなどのウェブ・ページを取り出して、取り出されたウェブ・ページを表示することが可能なアプリケーションである。ＲＳＳアグリゲータ（２３４）も、ＲＡＭ（１６８）に記憶されており、ＲＳＳコンテンツ・プロバイダからのＲＳＳフィードを取り出すためのコンピュータ・プログラム命令である。
【００１７】
ＲＳＳコンテンツ管理モジュール（２３２）も、ＲＡＭ（１６８）に記憶されている。ＲＳＳコンテンツ管理モジュール（２３２）は、デジタル・オーディオ・プレーヤ上でＲＳＳコンテンツをレンダリングするために、ＲＳＳコンテンツを管理することができ、これは、ＲＳＳフィードを通じてＲＳＳコンテンツを取り出すことと、ＲＳＳコンテンツからテキストを抽出することと、メディア・ファイルを作成することと、ＲＳＳコンテンツの抽出されたテキストをメディア・ファイルに関連したメタデータとして記憶することとによって行うことができる。また、ＲＳＳコンテンツ管理モジュール（２３２）は、ＲＳＳコンテンツからテキストを抽出して、デジタル・オーディオ・プレーヤ上での音声レンダリングに供することと、テキストをスピーチに変換することと、メディア・ファイルの音声部分に前記スピーチを記録することとが可能である。
【００１８】
デジタル・メディア・プレーヤ・アプリケーション（２３６）も、ＲＡＭ（１６８）に記憶されている。デジタル・メディア・プレーヤ・アプリケーション（２３６）は、音声ファイルおよび映像ファイルなどのメディア・コンテンツを管理するアプリケーションである。そのようなデジタル・メディア・プレーヤ・アプリケーションは、典型的には、メディア・ファイルをデジタル・オーディオ・プレーヤへ転送することができる。デジタル・メディア・プレーヤ・アプリケーションの例には、Ｍｕｓｉｃ  Ｍａｔｃｈ（商標）、ｉＴｕｎｅｓ（登録商標）、および当業者が想起するような他のものが含まれる。
【００１９】
図２の例において、オペレーティング・システム（１５４）、ブラウザ（２３０）、ＲＳＳアグリゲータ（２３４）、ＲＳＳコンテンツ管理モジュール（２３２）、およびデジタル・メディア・プレーヤ・アプリケーション（２３６）がＲＡＭ（１６８）に示されているが、そのようなソフトウェアの数多くの構成要素は、不揮発メモリ（１６６）に記憶されていてもよい。
【００２０】
図２のコンピュータ（１５２）は、システム・バス（１６０）を通じてプロセッサ（１５６）およびコンピュータ（１５２）の他の構成要素に結合された不揮発コンピュータ・メモリ（１６６）を含む。不揮発コンピュータ・メモリ（１６６）は、ハード・ディスク・ドライブ（１７０）、光ディスク・ドライブ（１７２）、電気消去可能プログラム可能読み出し専用メモリ空間（いわゆる「ＥＥＰＲＯＭ」または「フラッシュ」・メモリ）（１７４）、ＲＡＭドライブ（図示せず）、または当業者が想起するような他の種類のコンピュータ・メモリとして実施されてもよい。
【００２１】
図２のコンピュータ例は、１つ以上の入出力インターフェース・アダプタ（１７８）を含む。コンピュータにおける入出力インターフェース・アダプタは、例えば、コンピュータ表示画面などの表示装置（１８０）に対する出力と、キーボードおよびマウスなどのユーザ入力装置（１８１）からのユーザ入力とを制御するためのソフトウェア・ドライバおよびコンピュータ・ハードウェアを通じて、ユーザ指向の入出力を実施する。
【００２２】
図２のコンピュータ例（１５２）は、例えば、ＲＳＳコンテンツ・サーバなどの他のコンピュータ（１８２）とデータ通信（１８４）を実施するための通信アダプタ（１６７）を含む。そのようなデータ通信は、ＲＳ‐２３２接続を通じて、ＵＳＢなどの外部バスを通じて、ＩＰネットワークなどのデータ通信ネットワークを通じて、および当業者が想起するような他のやり方で逐次行われてもよい。通信アダプタは、あるコンピュータが他のコンピュータへ直接またはネットワークを通じてデータ通信を送信する際のデータ通信のハードウェア・レベルを実施する。本発明の実施形態に係る宛先の使用可能性を判断するために有用な通信アダプタの例には、有線ダイアル呼び出し通信のためのモデム、有線ネットワーク通信のためのイーサネット（登録商標）（ＩＥＥＥ８０２．３）アダプタ、および無線ネットワーク通信のための８０２．１１ｂアダプタが含まれる。
【００２３】
デジタル・オーディオ・プレーヤ上でＲＳＳコンテンツをレンダリングするためのＲＳＳコンテンツ管理には、デジタル・オーディオ・プレーヤの表示画面上でＲＳＳコンテンツをレンダリングするためにＲＳＳコンテンツを管理することと、デジタル・オーディオ・プレーヤの表示画面上でのＲＳＳコンテンツの部分と音声としてのＲＳＳコンテンツの部分とをレンダリングするためにＲＳＳコンテンツを管理することとの両方が含まれてもよい。さらに説明するために、図３は、デジタル・オーディオ・プレーヤの表示画面上でＲＳＳコンテンツをレンダリングするためのＲＳＳコンテンツ管理のための方法例を示すフローチャートを示す。図３の方法は、ＲＳＳフィードを通じてＲＳＳコンテンツ（３０４）を取り出すステップ（３０２）を含む。ＲＳＳフィードを通じてＲＳＳコンテンツ（３０４）を取り出すステップ（３０２）は、ＲＳＳフィードに与えられた１つ以上のハイパーリンクを呼び出して、ＲＳＳウェブ・ページまたはＲＳＳコンテンツを含む他のマーク付け文書を取り出すことによって行われてもよい。
【００２４】
図３の方法は、ＲＳＳコンテンツ（３０４）からテキスト（３１０）を抽出するステップ（３０６）を含む。上述のように、ＲＳＳコンテンツは、典型的には、ウェブ・ページまたはブラウザを通じてアクセス可能なマーク付け文書に提示される。したがって、そのようなウェブ・ページまたはマーク付け文書は、ユーザに対して表示される表示テキストおよび画像、ならびにコンテンツの提示を命令するマーク付けを含む。したがって、ＲＳＳコンテンツからテキスト（３１０）を抽出するステップ（３０６）は、ウェブ・ページまたはマーク付け文書から表示テキストを取り出すことによって行われてもよい。そのように抽出された表示テキストは、ＲＳＳフィードのテキスト・コンテンツのいくつかまたはすべてを実施する。
【００２５】
また、図３の方法は、メディア・ファイル（３１４）を作成するステップ（３０８）を含む。メディア・ファイルの例には、ＭＰＥＧ３（「ｍｐ３」）ファイル、ＭＰＥＧ４（「ｍｐ４」）ファイル、高度音声符号化（「ＡＡＣ」）圧縮ファイル、高度ストリーミング・フォーマット（「ＡＳＦ」）ファイル、ＷＡＶファイル、および当業者が想起するような数多くの他のものが含まれる。メディア・ファイルを作成するステップは、典型的には、ＲＳＳコンテンツをレンダリングするデジタル・オーディオ・プレーヤによってサポートされているメディア・ファイルを作成するステップを含む。
【００２６】
また、図３の方法は、ＲＳＳコンテンツ（３０４）の抽出されたテキスト（３１０）をメディア・ファイル（３１４）に関連したメタデータ（３１６）として記憶するステップ（３１２）を含む。ＲＳＳコンテンツ（３０４）の抽出されたテキスト（３１０）をメディア・ファイル（３１４）に関連したメタデータ（３１６）として記憶するステップ（３１２）は、図４を参照して以下に説明するように、抽出されたテキストをＭＰＥＧファイル内のＩＤ３タグに挿入することなど、抽出されたテキストをメディア・ファイル自体に挿入することによって行われてもよい。また、ＲＳＳコンテンツ（３０４）の抽出されたテキスト（３１０）をメディア・ファイル（３１４）に関連したメタデータ（３１６）として記憶するステップ（３１２）は、図５を参照して以下に説明するように、抽出されたテキストをＡＡＣ圧縮ＭＰＥＧ４ファイルに関連した拡張可能なマーク付け言語（「ＸＭＬ」）ライブラリ・ファイルに記憶することなど、抽出されたテキストをメディア・ファイルに関連したメタデータ・ファイルに記憶することによって行われてもよい。
【００２７】
また、図３の方法は、ＲＳＳコンテンツ（３０４）から１つ以上の画像（３２２）を抽出するステップ（３２０）を含む。上述のように、ＲＳＳコンテンツは、典型的には、ウェブ・ページまたはブラウザを通じてアクセス可能なマーク付け文書に提示される。したがって、そのようなウェブ・ページまたはマーク付け文書は、ユーザに対して表示される表示テキストおよび画像、ならびにコンテンツの提示を命令するマーク付けを含む。したがって、ＲＳＳコンテンツ（３０４）から１つ以上の画像（３２２）を抽出するステップ（３２０）は、ウェブ・ページまたはマーク付け文書から画像を取り出すことによって行われてもよい。そのように抽出された画像は、ＪＰＥＧファイル、ｐｄｆファイル、および当業者が想起するような他のファイルなどのウェブ・ページまたはマーク付け文書内で参照される別個のファイルとして実施されてもよい。
【００２８】
また、図３の方法は、抽出された画像（３２２）をメディア・ファイル（３１４）に関連したメタデータ（３１６）として記憶するステップ（３２４）を含む。抽出された画像（３２２）をメディア・ファイル（３１４）に関連したメタデータ（３１６）として記憶するステップ（３２４）は、図４を参照して以下に説明するように、抽出された画像をＭＰＥＧファイル内のＩＤ３タグに挿入することなど、抽出された画像をメディア・ファイル自体に挿入することによって行われてもよい。また、抽出された画像（３２２）をメディア・ファイル（３１４）に関連したメタデータ（３１６）として記憶するステップ（３２４）は、図５を参照して以下に説明するように、抽出された画像をＡＡＣ圧縮ＭＰＥＧ４ファイルに関連した拡張可能なマーク付け言語（「ＸＭＬ」）ライブラリ・ファイルに記憶することなど、抽出された画像をメディア・ファイルに関連したメタデータ・ファイルに記憶することによって行われてもよい。
【００２９】
また、図３の方法は、メディア・ファイル（３１４）をデジタル・オーディオ・プレーヤ（１０８）に記憶するステップ（３２３）を含む。メディア・ファイル（３１４）をデジタル・オーディオ・プレーヤ（１０８）に記憶するステップ（３２３）は、メディア・ファイルと、抽出されたテキストを含む関連メタデータとをデジタル・オーディオ・プレーヤ上にコピーすることによって行われてもよい。
【００３０】
また、図３の方法は、メディア・ファイル（３１４）を記述する、ＲＳＳコンテンツ（３０４）の抽出されたテキスト（３１０）を含むメタデータ（３１６）を表示するステップ（３２５）を含む。メディア・ファイル（３１４）を記述するメタデータ（３１６）を表示するステップ（３２５）は、典型的には、メディア・ファイルに関連したメタデータの表示をサポートしているデジタル・オーディオ・プレーヤによって行われる。そのようなデジタル・オーディオ・プレーヤは、典型的には、例えば、デジタル・オーディオ・プレーヤによってサポートされるメディア・ファイル型のメディア・ファイルに記憶されたアーティストおよび曲のタイトルのようなメタデータを表示する。抽出されたＲＳＳコンテンツをデジタル・ファイルに関連したメタデータとして記憶すれば、好都合なことに、抽出されたＲＳＳテキストを、従来のＲＳＳコンテンツのレンダリングをサポートしていないデジタル・オーディオ・プレーヤにおいて表示することができる。
【００３１】
図３の例において、テキストは、ＲＳＳコンテンツ自体から抽出されて、メディア・ファイルに関連したメタデータとして記憶される。多くの実施形態において、テキストは、ＲＳＳフィードから抽出されて、メディア・ファイルに関連したメタデータとして記憶されてもよい。そのような抽出されたテキストは、ＲＳＳフィードに提供されたサマリおよび他のメタデータがデジタル・オーディオ・プレーヤ上の記憶されたＲＳＳコンテンツを移動して見て回るのに有用であるように、予め規定されたメタデータ・フィールドに有用に関連付けられてもよい。
【００３２】
上述のように、抽出されたＲＳＳテキストは、メディア・ファイルに直接記憶されてもよい。したがって、さらに説明するために、図４は、ｍｐ４ファイルなどのＭＰＥＧファイル（４０２）のブロック図を示す。図４のＭＰＥＧファイルは、メディア・ファイルの音声部分（３１８）を含む。メディア・ファイルの音声部分は、バイナリ音声ファイルを含む。
【００３３】
図４のＭＰＥＧファイル（４０２）は、抽出されたＲＳＳテキスト（４０８）と、ＲＳＳコンテンツから抽出された画像（４１０）とを含むファイルの音声部分（３１８）の先頭に付加されたＩＤ３ｖ２タグ（４０４）を有する。ＩＤ３ｖ２タグは、メディア・ファイルに関連したメタデータのためのコンテナを提供する。ＩＤ３ｖ２タグは、テキスト、画像、ファイル、および他の情報を包含することをサポートする１つ以上のフレームを含む。ＩＤ３ｖ２タグは、柔軟性があり、拡張可能である。なぜならば、ＩＤ３ｖ２タグの特殊な機能をサポートしないパーサは、これらの機能を無視することになり、サポートされた機能のみに応答することになるからである。ＩＤ３ｖ２は、ユニコードをサポートしており、それによって、数多くの互いに異なる言語の抽出されたＲＳＳテキストを含む機能を提供している。ＩＤ３ｖ２タグの最大タグ・サイズは、典型的には２５６メガバイトであり、最大フレーム・サイズは、典型的には１６メガバイトである。
【００３４】
上述のように、抽出されたＲＳＳテキストおよび画像は、メタデータ・ファイル内のメディア・ファイルに関連付けられてもよい。したがって、さらに説明するために、図５は、ｉＴｕｎｅｓミュージカル・ジュークボックスによってサポートされ、ｉＰｏｄデジタル・オーディオ・プレーヤ上で再生されるようなＡＡＣ圧縮ｍｐ４ファイル（５０２）のブロック図を示す。図５の例において、ＡＡＣ圧縮ｍｐ４ファイルは、ファイル内に、デジタル・メディア・ファイルのバイナリ音声部分（３１８）を含む。
【００３５】
また、図５のＡＡＣ圧縮ｍｐ４ファイル（５０２）は、ＲＳＳコンテンツから抽出されたテキスト（５０６）および画像（５０８）を含む拡張可能なマーク付け言語（「ＸＭＬ」）ライブラリ・ファイル（５０４）として実施される関連メタデータ・ファイルを有する。ｉＴｕｎｅｓデジタル・オーディオ・アプリケーションは、ｉＴｕｎｅｓライブラリを備えるメディア・ファイルのコンテンツを記述するメタデータを含む単一のｉＴｕｎｅｓライブラリ・ファイルを含む。ｉＴｕｎｅｓライブラリ・ファイルは、ＸＭＬファイルとして実施され、そのフォーマットは、柔軟性のある文書型定義（「ＤＴＤ］）によって規定される。
【００３６】
上記の例において、抽出されたＲＳＳテキストは、デジタル・オーディオ・プレーヤの表示画面上でのＲＳＳコンテンツの視覚レンダリングのために、デジタル・オーディオ・プレーヤの表示画面に表示される。また、抽出されたテキストのうちのいくつかまたはそのすべては、スピーチに変換されて、デジタル・オーディオ・プレーヤによる音声レンダリングに供されてもよい。さらに説明するために、図６は、デジタル・オーディオ・プレーヤ上でＲＳＳコンテンツをレンダリングするためのＲＳＳコンテンツ管理のための方法例を示すフローチャートであって、抽出されたＲＳＳテキストをスピーチに変換するステップと、メディア・ファイルの音声部分にスピーチを記録して、デジタル・オーディオ・ファイル上で音声再生をするステップとを含む方法例を示す。図６の方法は、ＲＳＳフィードを通じてＲＳＳコンテンツ（３０４）を取り出すステップ（３０２）を含む。ＲＳＳフィードを通じてＲＳＳコンテンツ（３０４）を取り出すステップ（３０２）は、ＲＳＳフィードに提供された１つ以上のハイパーリンクを呼び出すことと、ＲＳＳコンテンツを含むＲＳＳウェブ・ページまたは他のマーク付け文書を取り出すこととによって行われてもよい。
【００３７】
図６の方法は、ＲＳＳコンテンツ（３０４）からテキスト（３１０）を抽出するステップ（３０６）を含む。上述のように、ＲＳＳコンテンツは、典型的には、ウェブ・ページまたはブラウザを通じてアクセス可能な他のマーク付け文書に提示される。したがって、そのようなウェブ・ページまたはマーク付け文書は、ユーザに対して表示される表示テキストおよび画像、ならびにコンテンツの提示を命令するマーク付けを含む。したがって、ＲＳＳコンテンツからテキスト（３１０）を抽出するステップ（３０６）は、ウェブ・ページまたはマーク付け文書から表示テキストを取り出すことによって行われてもよい。そのように抽出された表示テキストは、ＲＳＳフィードのテキスト・コンテンツのうちのいくつかまたはすべてを実施する。デジタル・オーディオ・プレーヤの表示画面上での視覚提示に有用な抽出されたファイルの例には、コンテンツのサマリのＲＳＳコンテンツのタイトルが含まれる。
【００３８】
また、図６の方法は、メディア・ファイル（３１４）を作成するステップ（３０８）を含む。上述のように、メディア・ファイルの例には、ＭＰＥＧ３（「ｍｐ３」）ファイル、ＭＰＥＧ４（「ｍｐ４」）ファイル、高度音声符号化（「ＡＡＣ」）圧縮ファイル、高度ストリーミング・フォーマット（「ＡＳＦ」）ファイル、ＷＡＶファイル、および当業者が想起するような数多くの他のものが含まれる。メディア・ファイルを作成するステップは、典型的には、ＲＳＳコンテンツをレンダリングするデジタル・オーディオ・プレーヤによってサポートされているメディア・ファイルを作成するステップを含む。
【００３９】
また、図６の方法は、ＲＳＳコンテンツ（３０４）の抽出されたテキスト（３１０）をメディア・ファイル（３１４）に関連したメタデータ（３１６）として記憶するステップ（３１２）を含む。抽出されたテキスト（３１０）をメディア・ファイル（３１４）に関連したメタデータ（３１６）として記憶するステップ（３１２）は、図４を参照して上述したように、抽出されたテキストをＭＰＥＧファイル内のＩＤ３タグに挿入することなど、抽出されたテキストをメディア・ファイル自体に挿入することによって行われてもよい。また、ＲＳＳコンテンツ（３０４）の抽出されたテキスト（３１０）をメディア・ファイル（３１４）に関連したメタデータ（３１６）として記憶するステップ（３１２）は、図５を参照して上述したように、抽出されたテキストをＡＡＣ圧縮ＭＰＥＧ４ファイルに関連した拡張可能なマーク付け言語（「ＸＭＬ」）ライブラリ・ファイルに記憶することなど、抽出されたテキストをメディア・ファイルに関連したメタデータ・ファイルに記憶することによって行われてもよい。
【００４０】
また、図６の方法は、ＲＳＳコンテンツ（３０４）から１つ以上の画像（３２２）を抽出するステップ（３２０）を含む。上述のように、ＲＳＳコンテンツは、典型的には、ウェブ・ページまたはブラウザを通じてアクセス可能な他のマーク付け文書に提示される。したがって、そのようなウェブ・ページまたはマーク付け文書は、ユーザに対して表示される表示テキストおよび画像、ならびにコンテンツの提示を命令するマーク付けを含む。したがって、ＲＳＳコンテンツ（３０４）から１つ以上の画像（３２２）を抽出するステップ（３２０）は、ウェブ・ページまたはマーク付け文書から画像を取り出すことによって行われてもよい。そのような画像は、ＪＰＥＧファイル、ｐｄｆファイル、および当業者が想起するような他のファイルなどのウェブ・ページまたはマーク付け文書内で参照される別個のファイルとして実施されてもよい。
【００４１】
また、図６の方法は、抽出された画像（３２２）をメディア・ファイル（３１４）に関連したメタデータ（３１６）として記憶するステップ（３２４）を含む。抽出された画像（３２２）をメディア・ファイル（３１４）に関連したメタデータ（３１６）として記憶するステップ（３２４）は、図４を参照して上述したように、抽出された画像をＭＰＥＧファイル内のＩＤ３タグに挿入することなど、抽出された画像をメディア・ファイル自体に挿入することによって行われてもよい。また、抽出された画像（３２２）をメディア・ファイル（３１４）に関連したメタデータ（３１６）として記憶するステップ（３２４）は、図５を参照して上述したように、抽出された画像をＡＡＣ圧縮ＭＰＥＧ４ファイルに関連した拡張可能なマーク付け言語（「ＸＭＬ」）ライブラリ・ファイルに記憶することなど、抽出された画像をメディア・ファイルに関連したメタデータ・ファイルに記憶することによって行われてもよい。
【００４２】
また、図６の方法は、ＲＳＳコンテンツ（３０４）からテキストを抽出（５０２）して、デジタル・オーディオ・プレーヤ（１０８）上での音声レンダリングに供するステップを含む。上述のように、ＲＳＳコンテンツは、典型的には、ウェブ・ページまたはブラウザを通じてアクセス可能な他のマーク付け文書に提示される。したがって、そのようなウェブ・ページまたはマーク付け文書は、ユーザに対して表示される表示テキストおよび画像、ならびにコンテンツの提示を命令するマーク付けを含む。したがって、ＲＳＳコンテンツからテキスト（３１０）を抽出するステップ（３０６）は、メディア・ファイルの音声部分ウェブ・ページまたはマーク付け文書から表示テキストを取り出して、メディア・ファイルの音声部分に含めて、ユーザに対して音声再生を行うことによって行われてもよい。そのような抽出された表示テキストは、ＲＳＳフィードのテキスト・コンテンツのいくつかまたはすべてを実施する。音声として有用にレンダリングされた、抽出されたテキストの例には、ＲＳＳコンテンツの本文全体が含まれる。
【００４３】
また、図６の方法は、テキスト（５０４）をスピーチ（５０８）に変換するステップ（５０６）と、メディア・ファイル（３１４）の音声部分（３１８）にスピーチ（５０８）を記録するステップ（５１０）とを含む。テキスト（５０４）をスピーチ（５０８）に変換するステップ（５０６）と、メディア・ファイル（３１４）の音声部分（３１８）にスピーチ（５０８）を記録するステップ（５１０）とは、抽出されたＲＳＳコンテンツ・テキストのスピーチ提示を生じさせるために、テキスト・スピーチ・エンジンを使用して抽出されたテキストを処理して、その後、テキスト・スピーチ・エンジンによって生じたスピーチをメディア・ファイルの音声部分に記録することによって行われてもよい。
【００４４】
メディア・ファイルの音声部分に記録するために、抽出されたテキストをスピーチに変換することが可能なスピーチ・エンジンの例には、例えば、ＩＢＭ社のＶｉａＶｏｉｃｅ（ＩＢＭ社の登録商標）Ｔｅｘｔ‐ｔｏ‐Ｓｐｅｅｃｈ、Ａｃａｐｅｌａ  Ｍｕｌｔｉｍｅｄｉａ  ＴＴＳ，ＡＴ＆Ｔ社のＮａｔｕｒａｌ  Ｖｏｉｃｅｓ（商標）Ｔｅｘｔ‐ｔｏ‐Ｓｐｅｅｃｈ  Ｅｎｇｉｎｅ、パイソン社のｐｙＴＴＳクラスなどが含まれる。これらのテキスト・スピーチ・エンジンは、それぞれ、テキストの形態で入力を受けて記号言語表象をバック・エンドへ出力するフロント・エンドからなり、バック・エンドは、受信した記号言語表象をスピーチ波形として出力する。
【００４５】
典型的には、スピーチ合成エンジンは、調音合成、フォルマント合成、および連接的合成のうちの１つ以上のカテゴリを使用することによって動作する。調音合成は、声門および動く声管についてのモデルなどの、スピーチ生成の計算生体力学モデルを使用する。典型的には、調音合成器は、舌、唇、声門などの人間の調音器官の筋肉の動きの模擬表象によって制御される。スピーチ生成の計算生体力学モデルは、時間に依存した３次元微分式を解いて、合成スピーチ出力を計算する。典型的には、調音合成は、非常に高度な計算を必要とし、自然に聞こえる流暢なスピーチという点では、以下に説明する他の２つの方法よりも劣る結果となる。
【００４６】
フォルマント合成は、声門ソースが声管を表わすフィルタから完全に独立しているみなす非常に簡略されたソース・フィルタ・モデルを制御するための規則のセットを使用する。声管を表わすフィルタは、フォルマント周波数および帯域幅などの制御パラメータによって決定される。各フォルマントは、声管の特定の共鳴かまたはフィルタ特性のピークに関連付けられている。声門ソースは、周期的な音についての様式化された声門パルスおよび気音のノイズの何れかを生成する。フォルマント合成が生成するスピーチは、非常に明瞭だが、完全に自然に聞こえるわけではない。しかしながら、フォルマント合成は、メモリの実装面積は少なく、適度な計算を必要とするのみである。
【００４７】
連接的合成は、録音から切り出されて、波形または符号化されたスピーチのいずれかとして一覧または音声データベースに記憶されている、記録されたスピーチの実際の断片を使用する。これらの断片は、例えば、単音およびダイフォンなどの基本のスピーチ部分を構成する。単音は、母音または子音からなり、ダイフォンは、１つの単音の後半部分と、次の単音の前半部分とを含む、単音から単音への移行部分からなる。連接的合成器のなかには、いわゆる半音節を使用するものもあり、事実上、ダイフォン方法を音節の時間尺度に適用している。そして、連接的合成は、音声データベースから選択された基本のスピーチ部分をつなぎ合わせ、または連接させて、復号化を任意で行った後、結果生じたスピーチ信号を出力する。連接システムは、記録されたスピーチの断片を使用するので、自然なスピーチに聞こえる可能性は最も高いが、連接システムは、音声データベースのために大容量のデータベース記憶装置を必要とする。
【００４８】
また、図６の方法は、メディア・ファイル（３１４）をデジタル・オーディオ・プレーヤ（１０８）に記憶するステップ（５１２）を含む。メディア・ファイル（３１４）をデジタル・オーディオ・プレーヤ（１０８）に記憶するステップ（５１２）は、メディア・ファイルと、抽出されたテキストを含む関連メタデータとをデジタル・オーディオ・プレーヤのメモリ上にコピーすることによって行われてもよい。
【００４９】
また、図６の方法は、メディア・ファイル（３１４）を記述するメタデータ（３１６）を表示するステップ（５１４）を含む。メディア・ファイル（３１４）を記述するメタデータ（３１６）を表示するステップ（５１４）は、典型的には、メディア・ファイルに関連したメタデータの表示をサポートするデジタル・オーディオ・プレーヤによって行われる。そのようなデジタル・オーディオ・プレーヤは、典型的には、例えば、デジタル・オーディオ・プレーヤによってサポートされるメディア・ファイル型のメディア・ファイルに記憶されたアーティストおよび曲のタイトルのようなメタデータを表示する。抽出されたＲＳＳコンテンツをデジタル・ファイルに関連したメタデータとして記憶すれば、好都合なことに、抽出されたＲＳＳテキストを、従来のＲＳＳコンテンツのレンダリングをサポートしていないデジタル・オーディオ・プレーヤにおいて表示することができる。
【００５０】
また、図６の方法は、スピーチ（５０８）を含む音声部分（３１８）を再生するステップ（５１６）を含む。スピーチ（５０８）を含む音声部分（３１８）を再生するステップ（５１６）は、好都合なことに、抽出されたＲＳＳテキストの音声スピーチ表象をレンダリングすることにより、ＲＳＳコンテンツを、従来のＲＳＳコンテンツをサポートしていないデジタル・オーディオ・プレーヤ上でレンダリングすることができる。
【００５１】
図６の例において、テキストは、ＲＳＳコンテンツ自体から抽出されて、メディア・ファイルに関連したメタデータとして記憶される。多くの実施形態において、テキストは、ＲＳＳフィードから抽出されて、メディア・ファイルに関連したメタデータとして記憶されてもよい。そのような抽出されたテキストは、ＲＳＳフィードに提供されたサマリおよび他のメタデータがデジタル・オーディオ・プレーヤ上の記憶されたＲＳＳコンテンツを移動して見て回るのに有用であるように、予め規定されたメタデータ・フィールドに有用に関連付けられてもよい。
【００５２】
本発明の実施形態例は、デジタル・オーディオ・プレーヤ上でＲＳＳコンテンツをレンダリングするためのＲＳＳコンテンツ管理のための完全に機能するコンピュータ・システムの場合について主に説明している。しかしながら、本発明は、任意の適切なデータ処理システムと共に使用される信号記録媒体上に配置されたコンピュータ・プログラムにおいて実施されてもよいことを、当業者は理解するだろう。そのような信号記録媒体は、機械読み取り可能な情報のための送信媒体または記録媒体であってもよく、磁気媒体、光媒体、または他の適切な媒体を含む。記録可能な媒体の例には、ハード・ドライブまたはディスケット内の磁気ディスク、光ドライブ用のコンパクト・ディスク、磁気テープ、および当業者が想起するような他のものが含まれる。送信媒体の例には、例えば、イーサネット（登録商標）などの音声通信およびデジタル・データ通信用の電話ネットワーク、ならびにインターネット・プロトコルおよびワールド・ワイド・ウェブと通信するネットワークが含まれる。適切なプログラミング手段を有する任意のコンピュータシステムが、プログラムにおいて実施されるような本発明の方法のステップを実行することが可能であることを、当業者はすぐに理解するだろう。本明細書において説明した実施形態例の中には、コンピュータ・ハードウェア上にインストールされて実行するソフトウェア向きのものがあるものの、ファームウェアまたはハードウェアとして実施される代替実施例も本発明の範囲内であることを、当業者はすぐに理解するだろう。
【００５３】
以上の説明から、本発明の様々な実施形態において、本発明の真の精神から逸脱することなく修正および変更を行ってもよいことが理解されるだろう。本明細書における説明は、例示のためにすぎず、制限的な意味で解釈されるべきものではない。本発明の範囲は、請求項の文言によってのみ制限される。
【図面の簡単な説明】
【００５４】
【図１】本発明の実施形態に係るデジタル・オーディオ・プレーヤ上でＲＳＳコンテンツをレンダリングするためのＲＳＳコンテンツ管理のためのシステム例を示すネットワーク図を示す。
【図２】本発明の実施形態に係るデジタル・オーディオ・プレーヤ上でＲＳＳコンテンツをレンダリングするためのＲＳＳコンテンツ管理において有用なコンピュータ例を備える自動コンピューティング機構のブロック図を示す。
【図３】デジタル・オーディオ・プレーヤ上でＲＳＳコンテンツをレンダリングするためのＲＳＳコンテンツ管理のための方法例を示すフローチャートを示す。
【図４】ｍｐ４ファイルなどのＭＰＥＧファイルのブロック図を示す。
【図５】ｉＴｕｎｅｓミュージカル・ジュークボックスによってサポートされ、ｉＰｏｄデジタル・オーディオ・プレーヤ上で再生されるようなＡＡＣ圧縮ｍｐ４ファイルのブロック図を示す。
【図６】デジタル・オーディオ・プレーヤ上でＲＳＳコンテンツをレンダリングするためのＲＳＳコンテンツ管理のための方法例を示すフローチャートであって、抽出されたＲＳＳテキストの部分をスピーチに変換するステップと、メディア・ファイルの音声部分にスピーチを記録して、デジタル・オーディオ・ファイル上で音声再生をするステップとを含む方法例を示す。
【符号の説明】
【００５５】
１０２  ＷＡＮ
１０４  ＲＳＳコンテンツ・サーバ
１０６  パーソナル・コンピュータ
１０８  デジタル・オーディオ・プレーヤ
１１０  表示画面
１１２  ヘッドホン
【図１】
2007293277.tif 000003
【図２】
2007293277.tif 000004
【図３】
2007293277.tif 000005
【図４】
2007293277.tif 000006
【図５】
2007293277.tif 000007
【図６】
2007293277.tif 000008